(57)【要約】【課題】離型紙付きのフィルムテープをトラバース巻きするときに巻き崩れやフィルムと離型紙の間の浮きが生じない【解決手段】原反から巻き出され、スリッタによって４ｍｍ幅もしくは５ｍｍ幅に切りそろえられた離型紙付きのフィルムテープ１０が、ガイドローラ１１１，１１２，１１３，１１４を介して巻取り部１３０で芯材に巻き取られる。この巻取り時に、線圧を１０００〔ｇ〕にし、巻取張力が３６．５〜４８６〔ｇ〕であり、かつ送り幅が０．１〜４．０〔ｍｍ〕で巻き取る。【選択図】図１
2009269738.tif 000002
【特許請求の範囲】
【請求項１】
離型紙が付いたテープフィルムをロールの芯にトラバース巻きで巻き取ったテープ巻体において、
前記テープフィルムの幅が４〜５〔ｍｍ〕であって、線圧が１０００〔ｇ〕のとき、
巻取張力が３６．５〜４８６〔ｇ〕であり、かつ送り幅が０．１〜４．０〔ｍｍ〕で巻き取られたことを特徴とするテープ巻体。
【請求項２】
前記送り幅が０．１〜２．０〔ｍｍ〕であることを特徴とする請求項１記載のテープ巻体。
【請求項３】
離型紙が付いたテープフィルムをロールの芯にトラバース巻きで巻き取るテープ巻体の製造方法において、
前記テープフィルムの幅が４〜５〔ｍｍ〕であって、線圧が１０００〔ｇ〕のとき、
巻取張力が３６．５〜４８６〔ｇ〕であり、かつ送り幅が０．１〜４．０〔ｍｍ〕で巻き取ることを特徴とするテープ巻体の製造方法。
【請求項４】
離型紙が付いたテープフィルムをロールの芯にトラバース巻きで巻き取るテープ巻取り方法において、
前記テープフィルムの幅が４〜５〔ｍｍ〕であって、線圧が１０００〔ｇ〕のとき、
巻取張力が３６．５〜４８６〔ｇ〕であり、かつ送り幅が０．１〜４．０〔ｍｍ〕で巻き取ることを特徴とするテープ巻取り方法。
【発明の詳細な説明】
【技術分野】
【０００１】
本発明は、テープ巻体、その製造方法、およびテープ巻取り方法に関し、特に離型紙が付いたテープフィルムをロールの芯にトラバース巻きで巻き取ったテープ巻体、その製造方法、およびテープ巻取り方法に関する。
【背景技術】
【０００２】
テープなどの長尺物の保管のしやすさ、取り扱いやすさを向上させるために長尺物を芯材に巻き付けて巻体にすることは広く知られている。
【０００３】
この巻体を製造するとき、レコード巻きと呼ばれる巻き方により長尺物を芯材に巻き付けることが多い。なお、レコード巻きとは、芯材に対する巻き付け位置を軸方向にずらすことなく完全に重ねて巻き付けていく巻き方をいう。
【０００４】
しかし、このレコード巻きによると一定の長さ以上の長尺物を巻き取るには限界が生じる。つまり、芯材の径方向への厚みが増すにつれて、巻取り中や、巻体の搬送中などに巻かれた長尺物にずれが生じやすくなる。
【０００５】
そこで、トラバース巻きにすることによって巻きずれを防止しつつ、より長尺のものを巻けるようにした巻体が提案されている（たとえば、特許文献１参照）。なお、トラバース巻きとは、芯材に対する巻き付け位置を軸方向にずらしながら長尺物を巻き付けていく巻き方をいう。
【特許文献１】特開平８−３０１５３３号公報
【発明の開示】
【発明が解決しようとする課題】
【０００６】
離型紙には、フィルムテープに比べて剛性が高いという特性があるため、離型紙付きのフィルムテープを巻き付ける際には、その剛性の違いから引っ張り力を強くすればするほど離型紙とフィルムテープの間に浮きが生じるリスクが高くなるという問題がある。
離型紙とフィルムテープの間に浮きが生じると、フィルムテープの信頼性が低下することに問題がある。
【０００７】
また、離型紙付きのフィルムテープは、フィルムテープ単体よりも離型紙が付いている分だけ厚みがあるため、重なり部分の段差が厚みによって大きい上、離型紙の剛性が高いため、重なり部分に滑りが生じてしまう。したがって、巻取り時にフィルムテープを重ねながら巻き取ろうとすると、巻きずれが生じて巻くことができないという問題があった。
【０００８】
一方で、芯材の軸方向に大きくずらすことによって、芯材に巻かれた隣接するフィルム間同士の間隔が大きすぎると、巻き付けられて重なったフィルムが隣接フィルム間の隙間に崩れてしまうことや、軸方向にずらすときの折り返し部分において、折り返し角度が急になることにより、当該部分のフィルムと離型紙との間に浮きが生じやすいという問題があった。
【０００９】
さらに、そのようなずれを生じないように巻き付け力をあげようとしても、フィルムテープと離型紙の粘着力がフィルムを使用するときの取り扱い上それほど強くすることができないため、巻き付け時に過度に力を加えすぎても、剛性の違いから離型紙とフィルムテープの間に浮きが生じるという問題があった。
【００１０】
つまり、実質上離型紙付きのフィルムテープをトラバース巻きすることは困難であって、レコード巻きするほかなく、１つの巻体に巻き付けられるテープ長には限界があり、テープを巻き付けた巻体から引き出してテープを使用する際に巻体の交換頻度が高くなってしまうという問題があった。
【００１１】
本発明はこのような点に鑑みてなされたものであり、トラバース巻きをしてもなお巻き崩れやフィルムと離型紙の間の浮きが生じないテープ巻体、その製造方法、およびテープ巻取り方法を提供することを目的とする。
【課題を解決するための手段】
【００１２】
本発明では上記問題を解決するために、離型紙が付いたテープフィルムをロールの芯にトラバース巻きで巻き取ったテープ巻体において、前記テープフィルムの幅が４〜５〔ｍｍ〕であって、線圧が１０００〔ｇ〕のとき、巻取張力が３６．５〜４８６〔ｇ〕であり、かつ送り幅が０．１〜４．０〔ｍｍ〕で巻き取られたことを特徴とするテープ巻体が提供される。
【００１３】
また、本発明では、離型紙が付いたテープフィルムをロールの芯にトラバース巻きで巻き取るテープ巻体の製造方法において、前記テープフィルムの幅が４〜５〔ｍｍ〕であって、線圧が１０００〔ｇ〕のとき、巻取張力が３６．５〜４８６〔ｇ〕であり、かつ送り幅が０．１〜４．０〔ｍｍ〕で巻き取ることを特徴とするテープ巻体の製造方法が提供される。
【００１４】
また、本発明では、離型紙が付いたテープフィルムをロールの芯にトラバース巻きで巻き取るテープ巻取り方法において、前記テープフィルムの幅が４〜５〔ｍｍ〕であって、線圧が１０００〔ｇ〕のとき、巻取張力が３６．５〜４８６〔ｇ〕であり、かつ送り幅が０．１〜４．０〔ｍｍ〕で巻き取ることを特徴とするテープ巻取り方法が提供される。
【発明の効果】
【００１５】
本発明のテープ巻体、その製造方法、およびテープ巻取り方法によれば、線圧が１０００〔ｇ〕のとき、巻取張力が３６．５〜４８６〔ｇ〕であり、かつ送り幅が０．１〜４．０〔ｍｍ〕で巻き取るので、巻き崩れやフィルムと離型紙の間の浮きが生じることがなく、信頼性を保持しつつ長尺の離型紙付きのフィルムテープを巻体とすることが可能となる。
【発明を実施するための最良の形態】
【００１６】
以下、本発明の実施の形態を図面を参照して詳細に説明する。
図１は、本実施の形態の巻取り装置の概要側面図である。
図１に示すように、巻取り装置１００は、ガイドローラ１１１，１１２，１１３，１１４、テンションコントローラ１２０、巻取り部１３０、およびタッチロール１４０を備えている。
【００１７】
不図示の原反から巻き出され、不図示のスリッタによって４ｍｍ幅もしくは５ｍｍ幅に切りそろえられた離型紙付きのフィルムテープ１０が、ガイドローラ１１１，１１２，１１３，１１４を介して巻取り部１３０で芯材に巻き取られる。
【００１８】
フィルムテープ１０において、離型紙の厚みは０．０５ｍｍ〜０．３ｍｍであり、離型紙とテープ本体の剥離強度が、およそ０．０７Ｎ／５０ｍｍ〜０．２０Ｎ／５０ｍｍに設定される。
【００１９】
なお、離型紙は紙材料に限らず、テープ本体との剥離強度が上記範囲に設定できれば、ＰＥＴ（Polyethylene Terephthalate）やＰＰ（Polypropylene）などのプラスチックフィルム、もしくはプラスチックシートでもよい。
【００２０】
巻取り部１３０には一定量で回転する回転ローラが備えられ、その回転ローラにフィルムテープ１０を巻き付ける芯材を挿着する。
また、巻取り部１３０にはタッチロール１４０によって一定の圧力が負荷され、押さえつけられながらフィルムテープ１０が芯材に巻き取られる。
【００２１】
テンションコントローラ１２０は、アーム１２１の一端にガイドローラ１１２が回動可能なように取り付けられており、アーム１２１が支持部１２２を中心に回転可能になっている。
【００２２】
アーム１２１の支持部１２２近傍には不図示のばねが取り付けられており、このばねによってアーム１２１のガイドローラ１１２側が下向きに押し下げられ、フィルムテープ１０に対して張力を与えるように力が加えることができる。
【００２３】
一方で、アーム１２１のガイドローラ１１２が取り付けられた逆の端部には荷重調整部１２３が設けられている。
荷重調整部１２３には、調整ねじ１２４が設けられおり、アーム１２１の支持部１２２近傍に設けられているばねの強さを調整することができる。
これにより、調整ねじ１２４によってばねの強さを調整することによりフィルムテープ１０にかかる張力を調整することが可能となっている。
【００２４】
したがって、フィルムテープ１０にかかる張力は、巻取り部１３０の巻取り速度と、原反の送り出し速度に加えて、テンションコントローラ１２０によるフィルムテープ１０に対する圧力によって決定される。
【００２５】
図２は、本実施の形態の巻取り装置の巻取り部の上方斜視図である。
上述の通り、巻取り部１３０にはタッチロール１４０によって一定の圧力が負荷され、押さえつけられながらフィルムテープ１０が芯材に巻き取られる。この負荷される圧力を線圧と呼び、１０００ｇの圧力がかかっているものとする。
【００２６】
また、ガイドローラ１１４と、巻取り部１３０およびタッチロール１４０の接触点との間には、不図示のテープガイドが設けられており、このテープガイドがテープ軸方向に左右に動くことにより、フィルムテープ１０が巻取り部１３０に備えられた芯材にトラバース巻きによって巻き取られる。
【００２７】
次に、上述した巻取り装置１００によってフィルムテープ１０を巻き取る取ったときの結果を表１に示す。
表１は、４ｍｍ幅のフィルムテープ１０を５０ｍｍ幅のプラスチック製の芯材に０．１ｍｍ送りで巻き取ったときの巻取り結果である。なお、０．１ｍｍ送りとはフィルムテープ１０を芯材にトラバース巻きで巻き取るときに、隣り合うフィルムテープ１０同士を０．１ｍｍの間隔をあけて巻き取ることをいう。
【００２８】
【表１】
2009269738.tif 000003
【００２９】
表１の巻き状態の項目は、○が浮きや巻き崩れなく巻けていることを示しており、×は浮きや巻き崩れが発生してしまったことを示している。
表１に示すように、巻取張力が３６．５〔ｇ〕〜４８６〔ｇ〕のときには浮きや巻き崩れなく巻けていることがわかる。
【００３０】
ここで、引張荷重とはテンションコントローラ１２０によってフィルムテープ１０を下向きに引っ張るようにかける荷重を示しており、この引張荷重から巻取部分の巻取張力を知ることができる。
【００３１】
巻取り装置１００においては、ガイドローラ１１３とガイドローラ１１４との間の距離が、ガイドローラ１１２とガイドローラ１１３との間の距離の２倍になっていることから以下の式（１）が成り立つ。
巻取張力＝引張荷重／２                                              ………（１）
ここからわかるように、張力は高すぎても低すぎても巻けないことがわかる。
【００３２】
次に、５ｍｍ幅のフィルムテープ１０を５０ｍｍ幅のプラスチック製の芯材に０．１ｍｍ送りで巻き取ったときの巻取り結果を表２に示す。
【００３３】
【表２】
2009269738.tif 000004
【００３４】
表２の巻き状態の項目においても、表１と同様に○が浮きや巻き崩れなく巻けていることを示しており、×は浮きや巻き崩れが発生してしまったことを示している。
表２に示すように、５ｍｍ幅のフィルムテープ１０を巻き取るときにおいても巻取張力が３６．５〔ｇ〕〜４８６〔ｇ〕のときには浮きや巻き崩れなく巻けていることがわかる。
これまで０．１ｍｍ送りのトラバース巻きについて検討してきたが、次に、一定割合ずつ重ねてトラバース巻きしたときの結果を表３に示す。
【００３５】
【表３】
2009269738.tif 000005
【００３６】
表３に示すように、フィルムテープ１０を一定割合ずつ重ねてトラバース巻きによって巻き取ろうとすると重ね幅が０．１ｍｍ、０．２ｍｍ、０．３ｍｍ、０．４ｍｍ、および０．５ｍｍのいずれのときにおいても浮きや巻き崩れが発生してしまったことを示している。
つまり、隣り合うフィルムテープ１０同士を重ねてはトラバース巻きすることができないことを示している。
次は、送り幅を変化させてトラバース巻きしたときの結果を表４に示す。
【００３７】
【表４】
2009269738.tif 000006
【００３８】
表４の巻き状態の項目において、△は巻き取ることは可能であるが、所々に浮きが生じてしまったことを示している。
表４に示すように、送り幅が０．１ｍｍ、０．２ｍｍ、０．３ｍｍ、０．４ｍｍ、０．５ｍｍ、１ｍｍ、および２ｍｍのいずれのときにおいても浮きや巻き崩れが発生せずにトラバース巻きをすることができたことを示している。
【００３９】
一方、送り幅が３ｍｍ、および４ｍｍのときにおいては、所々に浮きが生じてしまったことを示している。所々に浮きが生じてしまった場合には、信頼性は若干低下するが、フィルムテープ１０が使用されるときに要求される信頼性の度合いによっては使用することも可能な場合がある。
さらに、送り幅が５ｍｍのときにおいては、浮きや巻き崩れが生じてしまったことを示している。
【００４０】
以上説明したように、巻取張力、線圧、および送り幅の複合的な条件下においてのみ離型紙付きのフィルムテープをトラバース巻きすることができ、レコード巻きよりも長尺のフィルムを１つの巻体とすることが可能となる。
【００４１】
トラバース巻きをする際に、送り幅が４ｍｍまでであればフィルムテープ１０をトラバース巻きすることが可能となり、長尺のフィルムテープ１０を１つの巻体とすることが可能となる。
【００４２】
一方で、要求される信頼性が高くても使用できるフィルムテープ１０を巻き取ろうとするときは送り幅を２ｍｍまでに制限することによって、より信頼性を保持しつつフィルムテープ１０をトラバース巻きすることが可能となる。
【図面の簡単な説明】
【００４３】
【図１】本実施の形態の巻取り装置の概要側面図である。
【図２】本実施の形態の巻取り装置の巻取り部の上方斜視図である。
【符号の説明】
【００４４】
１００  巻取り装置
１１１，１１２，１１３，１１４  ガイドローラ
１２０  テンションコントローラ
１２１  アーム
１２２  支持部
１２３  荷重調整部
１２４  調整ねじ
１３０  巻取り部
１４０  タッチロール
【図１】
2009269738.tif 000007
【図２】
2009269738.tif 000008